(57)【特許請求の範囲】
【請求項１】
支柱設置面にロックボルト材を埋設設置する第１工程と、
中央に前記ロックボルト材の挿通孔を有するベースプレートを底面に備えた断面略コ字状支柱を用い、前記挿通孔にロックボルト材を挿通しダブルナットでレベル調整を行って支柱を固定する第２工程と、
前記支柱の外周を囲む状態で支柱設置面にメッシュ型枠を設置する第３工程と、
前記メッシュ型枠内にコンクリートを打設すると共に、メッシュ型枠から外へはみ出したコンクリートでメッシュ型枠を埋め込んで養生する第４工程と、
からなることを特徴とするロックボルト方式によるソーラーパネル架台設置用支柱の設置方法。
【請求項２】
請求項１記載のロックボルト方式によるソーラーパネル架台設置用支柱の設置方法において、
前記第１工程は、
支柱設置面にレッグドリル等の削孔機でロックボルト材より大径の孔を削孔する第１工程と、
前記削孔された孔内にロックボルト材を挿入する第２工程と、
前記孔内にグラウトを注入する第３工程と、
前記グラウトを養生する第４工程と、
からなることを特徴とするロックボルト方式によるソーラーパネル架台設置用支柱の設置方法。
【請求項３】
請求項１又は２に記載のロックボルト方式によるソーラーパネル架台設置用支柱の設置方法において、
前記ベースプレートは、断面略コ字状支柱の断面積より広くすることを特徴とするロックボルト方式によるソーラーパネル架台設置用支柱の設置方法。
【請求項４】
請求項１〜３のいずれか１項に記載のロックボルト方式によるソーラーパネル架台設置用支柱の設置方法において、
前記メッシュ型枠内にはメッシュ筋を配置することを特徴とするロックボルト方式によるソーラーパネル架台設置用支柱の設置方法。
【発明の詳細な説明】
【技術分野】
【０００１】
本発明は、メガソーラー発電施設の設置において、広大な急傾斜地や三次元化した地形に多数のソーラーパネルを設置する際に、ソーラーパネル架台設置用支柱を地中に埋め込み設置するためのロックボルト方式によるソーラーパネル架台設置用支柱の設置方法に関する。
【背景技術】
【０００２】
従来、メガソーラー発電施設を設置する場合、先ず設置すべき広大な土地に、等間隔のもとに基礎コンクリートを打設するための縦孔を開け、この縦孔内にソーラーパネル架台設置用支柱の基部を差し込んだ状態でコンクリートを流し込んで固めることにより、コンクリート基礎に対し架台設置用支柱を立設固定し、この各架台設置用支柱上にソーラーパネル架台を設置するようにしている（例えば、特許文献１、２参照）。
【先行技術文献】
【特許文献】
【０００３】
【特許文献１】特開平０８−１７０７９０号公報
【特許文献２】特開２００７−１９３３１号公報
【発明の概要】
【発明が解決しようとする課題】
【０００４】
しかしながら、広大な急傾斜地に転石や岩が多くある場合は、斜めに大きな孔を開ける従来のコンクリート基礎では削孔重機を急傾斜地に侵入させることは不可能である。
また、広大な急傾斜地において従来のコンクリート基礎では、法面崩落の危険性があり、施工面での安全性に問題がある。
また、傾斜地に係わらず三次元化した地形の場合は、多数のソーラーパネル架台設置用支柱相互間のレベル調整が困難である。
【０００５】
本発明の解決しようとする課題は、大きな孔を開ける削孔重機の進入が不可な急傾斜地にもソーラーパネル架台設置用支柱の設置が可能であり、かつ、設置後における法面崩壊のリスクを減らすことで施工面での安全性を確保でき、さらに、傾斜地に係わらず三次元化した地形における多数のソーラーパネル架台設置用支柱相互間のレベル調整が可能なロックボルト方式によるソーラーパネル架台設置用支柱の設置方法を提供することにある。
【課題を解決するための手段】
【０００６】
上記課題を解決するため請求項１記載のロックボルト方式によるソーラーパネル架台設置用支柱の設置方法は、
支柱設置面にロックボルト材を埋設設置する第１工程と、
中央に前記ロックボルト材の挿通孔を有するベースプレートを底面に備えた断面略コ字状支柱を用い、前記挿通孔にロックボルト材を挿通しダブルナットでレベル調整を行って支柱を固定する第２工程と、
前記支柱の外周を囲む状態で支柱設置面にメッシュ型枠を設置する第３工程と、
前記コンクリート型枠内にコンクリートを打設すると共に、メッシュ型枠から外へはみ出したコンクリートでメッシュ型枠を埋め込んで養生する第４工程と、
からなることを特徴とする手段とした。
【０００８】
また、請求項２記載のロックボルト方式によるソーラーパネル架台設置用支柱の設置方法は、請求項１記載のロックボルト方式によるソーラーパネル架台設置用支柱の設置方法において、
前記第１工程は、
支柱設置面にレッグドリル等の削孔機でロックボルト材より大径の孔を削孔する第１工程と、
前記削孔された孔内にロックボルト材を挿入する第２工程と、
前記孔内にグラウトを注入する第３工程と、
前記グラウトを養生する第４工程と、
からなることを特徴とする手段とした。
【０００９】
また、請求３記載のロックボルト方式によるソーラーパネル架台設置用支柱の設置方法は、請求項１又は２に記載のロックボルト方式によるソーラーパネル架台設置用支柱の設置方法において、
前記ベースプレートは、断面略コ字状支柱の断面積より広くすることを特徴とする手段とした。
【００１１】
また、請求項４記載のロックボルト方式によるソーラーパネル架台設置用支柱の設置方法は、請求項１〜３のいずれか１項に記載のロックボルト方式によるソーラーパネル架台設置用支柱の設置方法において、
前記コンクリート型枠内にはメッシュ筋を配置することを特徴とする手段とした。
【発明の効果】
【００１２】
請求項１記載のロックボルト方式によるソーラーパネル架台設置用支柱の設置方法では、上述のように、基礎として支柱設置面にロックボルト材を埋設設置するロックボルト工法を用いることで、大きな孔を開ける削孔重機の進入が不可な急傾斜地にも、レッグドリル等の軽量な削孔機を用いて削孔してソーラーパネル架台設置用支柱の設置が可能になり、かつ、ロックボルト方式により設置後における法面崩壊のリスクを減らすことでき、これにより、施工面での安全性も確保できるようになるという効果が得られる。
また、中央にロックボルト材の挿通孔を有するベースプレートを底面に備えた断面略コ字状支柱を用い、挿通孔にロックボルト材を挿通しダブルナットでレベル調整を行って支柱を固定するようにしたことで、傾斜地に係わらず三次元化した地形における多数のソーラーパネル架台設置用支柱相互間のレベル調整がロックボルトに対するダブルナットの位置調整で簡単に行えるようになる。
また、上述のように、コンクリート型枠としてメッシュ型枠を用い、該メッシュ型枠から外へはみ出したコンクリートでメッシュ型枠を埋め込んで養生するようにしたことで、型枠脱却作業を省略できると共に、メッシュ型枠がコンクリート内に埋め込まれたメッシュ筋の役目をなし、コンクリート基礎の強度を高めることができるようになる。
【００１５】
また、請求項２記載のロックボルト方式によるソーラーパネル架台設置用支柱の設置方法では、上述のように、支柱設置面にレッグドリル等の軽量な削孔機でロックボルト材より大径の孔を削孔するようにしたことで、大きな孔を開ける削孔重機の進入が不可な急傾斜地にも簡単に削孔することができるようになる。
【００１６】
また、請求項３記載のロックボルト方式によるソーラーパネル架台設置用支柱の設置方法では、上述のように、ベースプレートの面積を、断面略コ字状支柱の断面積より広くしたことで、コンクリート基礎内における支柱の固定強度を高めることができるようになる。
【００１８】
また、請求項４記載のロックボルト方式によるソーラーパネル架台設置用支柱の設置方法では、上述のように、メッシュ型枠内にはメッシュ筋を配置することで、コンクリート基礎の強度を高めることができるようになる。
【図面の簡単な説明】
【００１９】
【図１】実施例１のロックボルト方式によるソーラーパネル架台設置用支柱の設置方法によるソーラーパネルの設置状態を示す正面図である。
【図２】実施例１のロックボルト方式によるソーラーパネル架台設置用支柱の設置方法によるソーラーパネルの設置状態を示す側面図である。
【図３】実施例１のソーラーパネル架台設置用支柱の設置方法を示す第１工程図である。
【図４】実施例１のソーラーパネル架台設置用支柱の設置方法を示す第２工程図である。
【図５】実施例１のソーラーパネル架台設置用支柱の設置方法を示す第３工程図である。
【図６】実施例１のソーラーパネル架台設置用支柱の設置方法を示す第４工程図である。
【図７】実施例１のソーラーパネル架台設置用支柱の設置方法を示す第５工程図である。
【図８】図６のＳ８―Ｓ８線における横断面図である。
【図９】図６の斜視図である。
【図１０】実施例２のソーラーパネル架台設置用支柱の設置方法を示す第１工程図である。
【図１１】実施例２のソーラーパネル架台設置用支柱の設置方法を示す第２工程図である。
【図１２】実施例２のソーラーパネル架台設置用支柱の設置方法を示す第３工程図である。
【発明を実施するための形態】
【００２０】
以下にこの発明の実施例を図面に基づいて説明する。
【実施例１】
【００２１】
実施例１のロックボルト方式によるソーラーパネル架台設置用支柱の設置方法を図１〜９に基づいて説明する。
この実施例１のロックボルト方式によるソーラーパネル架台設置用支柱の設置方法は、請求項２〜６に記載の発明に該当するもので、ロックボルト材１と、ソーラーパネル架台設置用支柱２と、メッシュ型枠３と、が主な構成として用いられる。
【００２２】
さらに詳述すると、前記ロックボルト材１は、地山に挿入することによって、地山との相互関係によって法面全体の安定度を高め、法面の崩壊を防止する役目をなすものである。
また、このロックボルト材１の上端側には、ダブルナット１１、１２が螺合されている。
【００２３】
前記ソーラーパネル架台設置用支柱２は、ソーラーパネル４を設置する架台５を支持する役目をなすもので、図８に示すように、断面略コ字状に形成されている。
また、この支柱２の底面には、支柱２の断面積より広いベースプレート２１が固定されており、このベースプレート２１の中央、すなわち、支柱２の中空部内にロックボルト材１を挿通し、ダブルナット１１、１２でベースプレート２１をロックボルト材１に締め付け固定するための挿通孔を有している。
【００２４】
前記メッシュ型枠３は、図６、図８に示すように、支柱２の下端とロックボルト材１との連結部をコンクリートで固める役目をなすものである。
【００２５】
次に、上記実施例１のロックボルト方式によるソーラーパネル架台設置用支柱の設置方法を、図３〜７の設置作業工程図を用いて説明する。
【００２６】
先ず、図３に示すように、支柱設置面６にレッグドリル等の軽量な削孔機でロックボルト材１より大径の孔７を削孔する。
次に、図４に示すように、削孔した孔７内にロックボルト材１を挿入し、孔７内にグラウト８を注入して養生させる。
次に、図５に示すように、支柱２の底面に備えたベースプレート２１の中央に形成された挿通孔にロックボルト材１を挿通しダブルナット１１、１２でレベル調整を行ってベースプレート２１を締め付け固定することにより、ロックボルト材１と支柱２との間を接続固定する。
次に、図６、図８、図９に示すように、支柱２の外周を囲む状態で支柱設置面６に支柱２の外周を囲む状態で支柱設置面６にメッシュ型枠３を設置する。
次に、図７に示すように、メッシュ型枠３内にコンクリート９を打設して養生することにより、ソーラーパネル架台設置用支柱２の設置を完了する。
なお、メッシュ型枠３内にはメッシュ筋１０を配置することが望ましい。
その後、各架台設置用支柱２上にソーラーパネル架台を設置する。
【００２７】
次に、この実施例１の効果を説明する。
【００２８】
この実施例１のロックボルト方式によるソーラーパネル架台設置用支柱の設置方法では、上述のように、基礎として支柱設置面６にロックボルト材１を埋設設置するロックボルト工法を用いることで、大きな孔を開ける削孔重機の進入が不可な急傾斜地にも、レッグドリル等の軽量な削孔機を用いて削孔してソーラーパネル架台設置用支柱２の設置が可能になり、かつ、ロックボルト方式により設置後における法面崩壊のリスクを減らすことでき、これにより、施工面での安全性も確保できるようになるという効果が得られる。
【００２９】
また、中央にロックボルト材１の挿通孔を有するベースプレート２１を底面に備えた断面略コ字状支柱２を用い、挿通孔にロックボルト材１を挿通しダブルナット１１、１２でレベル調整を行って支柱２を固定するようにしたことで、傾斜地に係わらず三次元化した地形における多数のソーラーパネル架台設置用支柱２、２相互間のレベル調整がロックボルト材１に対するダブルナット１１、１２の位置調整で簡単に行えるようになる。
【００３０】
また、支柱２の外周を囲む状態で支柱設置面６にメッシュ型枠３を設置し、メッシュ型枠３内にコンクリート９を打設して養生するようにしたことで、支柱２の下端とロックボルト材１との連結部をコンクリート９で固めた強固な支柱基礎を形成することができる。
【００３１】
また、支柱設置面６にレッグドリル等の軽量な削孔機でロックボルト材１より大径の孔７を削孔するようにしたことで、大きな孔を開ける削孔重機の進入が不可な急傾斜地にも簡単に削孔することができるようになる。
【００３２】
また、ベースプレート２１の面積を、断面略コ字状支柱２の断面積より広くしたことで、コンクリート基礎内における支柱２の固定強度を高めることができるようになる。
【００３３】
また、コンクリート型枠としてメッシュ型枠３を用いることで、コンクリート基礎内にメッシュ型枠３を埋め込み状態にできるため、型枠脱却作業を省略できると共に、コンクリート基礎の強度を高めることができるようになる。
【００３４】
また、メッシュ型枠３内にはメッシュ筋１０を配置することで、コンクリート基礎の強度を高めることができるようになる。
【００３５】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００３６】
この実施例２の装置は、請求項１に記載の発明に対応する。
【００３７】
この実施例２は、実施例１の変形例を示すものであり、図１０〜１２の工程図に示すように、上記実施例１におけるメッシュ型枠３によるコンクリート基礎施工工程を省略したものである。
【００３８】
この実施例２では、コンクリート基礎施工作業を省略しても、急傾斜地に支柱２を設置する場合でも、図１、２に示すように支柱２を傾斜面と直角（傾斜状）に設置せず、垂直に設置することにより、ロックボルト材１と支柱２との間に曲げ応力が作用するのを防止することができる。
【００３９】
従って、この実施例２では、上記実施例１と同様の効果が得られる他、作業工程及び材料費の削減により、工期の短縮と工費の削減が可能になるという追加の効果が得られる。
【００４０】
以上本実施例を説明してきたが、本発明は上述の実施例に限られるものではなく、本発明の要旨を逸脱しない範囲の設計変更等があっても、本発明に含まれる。
【００４１】
例えば、実施例１では、メッシュ型枠３を用いたが、通常のコンクリート型枠を用いることができる。
【００４２】
また、実施例１では、レッグドリルを用いたが、その他の軽量な削孔機を用いることができる。
【００４３】
また、ロックボルト材１には亜鉛メッキ等の防食処理を施すことが望ましい。
また、ロックボルト材１の具体的形状は任意である。
【符号の説明】
【００４４】
１  ロックボルト材
１１  ナット
１２  ナット
２  ソーラーパネル架台設置用支柱
２１  ベースプレート
３  メッシュ型枠（コンクリート型枠）
４  ソーラーパネル
５  架台
６  支柱設置面
７  孔
８  グラウト
９  コンクリート
１０  メッシュ筋
【要約】      （修正有）【課題】大きな孔を開ける削孔重機の進入が不可な急傾斜地にもソーラーパネル架台設置用支柱の設置が可能であり、かつ、設置後における法面崩壊のリスクを減らすことで施工面での安全性を確保でき、さらに、傾斜地に係わらず三次元化した地形における多数のソーラーパネル架台設置用支柱相互間のレベル調整が可能なロックボルト方式によるソーラーパネル架台設置用支柱の設置方法を提供する。【解決手段】支柱設置面にロックボルト材１を埋設設置する第１工程と、中央にロックボルト材１の挿通孔を有するベースプレート２１を底面に備えた断面略コ字状支柱２を用い、挿通孔にロックボルト材１を挿通しダブルナット１１、１２でレベル調整を行って支柱２を固定する第２工程と、支柱２の外周を囲む状態で支柱設置面にメッシュ型枠３を設置する第３工程と、メッシュ型枠３内にコンクリートを打設して養生する第４工程と、からなる。【選択図】図６【図１】
0005933799.tif 000002
【図２】
0005933799.tif 000003
【図３】
0005933799.tif 000004
【図４】
0005933799.tif 000005
【図５】
0005933799.tif 000006
【図６】
0005933799.tif 000007
【図７】
0005933799.tif 000008
【図８】
0005933799.tif 000009
【図９】
0005933799.tif 000010
【図１０】
0005933799.tif 000011
【図１１】
0005933799.tif 000012
【図１２】
0005933799.tif 000013